(57)【要約】【課題】  フィールドに監視カメラがあり、中央で集中監視しているシステムにおいて、フィールドの状態量を、フィールドから中央まで新たな配線敷設なしでデータ伝送する方法を提供することにある。【解決手段】  取込む必要のある状態量を、データ入力手段を用いて取込んだ後そのデータを画像処理装置を用いて、監視カメラ画像に埋め込む。具体的には、データを埋め込む座標をあらかじめ定めておき、そこに明るさのデータとして書込む。  この状態量が埋め込まれた映像データを、カメラ画像として中央に送る。  中央側にも画像処理装置を置き、画像の所定の位置の明るさのデータを読み込むことで、送信元の状態量を得る。【選択図】図１
2006165719.tif 000002
【特許請求の範囲】
【請求項１】
フィールドに設置された監視カメラと、該監視カメラから映像信号を画像処理した画像処理データと、フィールドについての検出された状態量データとを合成した信号として伝送する送信側の画像処理装置と、伝送されてくる合成された信号を処理して画像処理データおよび状態量データにして監視モニタに出力する受信側の画像処理装置と、を備えた画像データ伝送システムにおいて、
前記送信側および受信側の画像処理装置に画面上に予め定めた座標領域を有する画面部がそれぞれ設定され該画面部における画像処理した画像の明るさを検出、格納するものであり、前記送信側の画像処理装置は検出した状態量データを入力して前記画像の明るさに該検出した状態量データを付加して画像処理された画像処理データと合成伝送し、前記受信側の画像処理装置は前記画像の明るさを基準にして、伝送されて来た前記合成された信号から状態量データを分離し、前記監視モニタに画像処理データについて画像処理された画像と共に表示すること
を特徴とする画像データ伝送システム。
【発明の詳細な説明】
【技術分野】
【０００１】
本発明は、フィールドに監視カメラがあり、中央で集中監視しているシステムに係る。
【背景技術】
【０００２】
フィールドに監視カメラがあり、中央で集中監視しているシステムにおいて、フィールドの状態量（例えば監視している箇所の温度など）を中央で取込む必要が生じた場合、通常は、フィールドの状態量をフィールドから中央まで新たに配線を敷設して直接送る方法がとられる。
【０００３】
もしくは、フィールドおよび中央側にWeb等のネットワーク網を新たに敷設し、パソコン等を用いて中央にファイル転送にて送信する方法がとられる。
【０００４】
しかしながら、フィールドの監視カメラと中央との距離が離れている場合などは、新たな配線敷設はコスト高の問題があり、また、フィールドが山林地帯などの場合にはWeb等のネットワーク網への接続が不可能、あるいは接続が制限される場合がある。
【０００５】
特許文献１には、２次元ＣＣＤ及びこの２次元ＣＣＤを制御するＣＣＤ駆動パルス発生手段と、クロック発生手段とを有すると共に、温度センサーなどの環境検出手段と、この環境検出手段からの出力信号の値に応じた画像をモニタ画面に表示する画像表示データ信号を出力する表示データ形成手段と、画像表示データ信号とＣＣＤ出力信号とを合成して同軸ケーブルに出力する信号合成出力手段とを有するカメラヘッド部を備えた監視カメラ装置が記載されている。
【０００６】
【特許文献１】特開２０００−６９４５９号公報
【発明の開示】
【発明が解決しようとする課題】
【０００７】
本発明は、フィールドの状態量データを画像処理データと共に送信するに際して確実に送信を行うことのできる画像処理データ伝送システムを提供することを目的とする。
【課題を解決するための手段】
【０００８】
取込む必要のある状態量を、データ入力手段を用いて取込んだ後そのデータを画像処理装置を用いて、監視カメラ画像に埋め込む。（具体的には、データを埋め込む画像上の位置をあらかじめ定めておき、そこに明るさのデータとして書込む）。
【０００９】
この状態量が埋め込まれた映像データを、カメラ画像として中央に送る。
中央側にも画像処理装置を置き、画像の所定の位置の明るさのデータを読み込むことで、送信元の状態量を得ることを特徴とする。
【００１０】
すなわち、本発明は、フィールドに設置された監視カメラと、該監視カメラから映像信号を画像処理した画像処理データと、フィールドについての検出された状態量データとを合成した信号として伝送する送信側の画像処理装置と、伝送されてくる合成された信号を処理して画像処理データおよび状態量データにして監視モニタに出力する受信側の画像処理装置と、を備えた画像データ伝送システムにおいて、前記送信側および受信側の画像処理装置には画面上に予め定めた座標領域を有する画面部がそれぞれ設定され該画面部における画像処理した画像の明るさを検出、格納するものであり、前記送信側の画像処理装置は検出した状態量データを入力して前記画像の明るさに該検出した状態量データを付加して画像処理された画像処理データと合成伝送し、前記受信側の画像処理装置は前記画像の明るさを基準にして、伝送されて来た前記合成された信号から状態量データを分離し、前記監視モニタに画像処理データについて画像処理された画像と共に表示する画像データ伝送システムを提供する。
【発明の効果】
【００１１】
本発明によれば、フィールドから中央へのデータ伝送路として、既設の監視カメラの映像データ伝送路を使用できる。そのため、データ伝送のための新たな配線敷設、あるいはWeb等のネットワーク網が不要となり、画像の所定の位置の明るさのデータを読むことで、送信元の状態量を得ることができ、従って送信、受信を確実に行うことができる。
【発明を実施するための最良の形態】
【００１２】
以下、本発明の一実施例を添付図面に基づいて詳細に説明する。
【実施例】
【００１３】
図１は、本発明に係わるデータ伝送装置の構成を示すブロック図である。図２は、フィールド側におかれる画像処理装置の処理手順の１例を示すフローチャートである。図３は、中央側におかれる画像処理装置の処理手順の１例を示すフローチャートである。
【００１４】
図１に示すように、本実施例では、フィールド側においては監視カメラ１、状態量を検出するセンサ２、センサ２のデータ入力部３、画像処理装置１０から構成される。画像処理装置１０は、映像入力部１１、画像メモリ１２、映像出力部１３、画像演算部１４、およびＣＰＵ１５から構成される。センサ２によってフィールドの温度、湿度などの状態量が検出される。
【００１５】
中央側には、画像処理装置２０および監視モニタ５が置かれる。画像処理装置２０は、映像入力部２１、画像メモリ２２、映像出力部２３、画像演算部２４、およびＣＰＵ２５から構成される。
フィールドと中央は、画像データ伝送路４にて接続されている。
【００１６】
監視カメラ１で撮影された映像信号は画像演算部１４で画像処理データとされ、フィールドについてセンサ２によって検出された状態量データと合成される。この合成のために画像演算部１４およびＣＰＵ１５が使用される。
【００１７】
送信側おび受信側の画像処理装置１０、２０は画面上に予め定めた座標領域を有する画面部が設定され、この画面部がフィールドで検出された状態量データを記録する部分となる。この画面部の画像処理した画像の明るさが検出され、記憶手段である画像メモリ１２に格納される。送信側に設けた監視モニタ２５の対応の画面部には状態量データが表示される。送信側の画像処理装置１０は、検出した状態量データを入力して画像明るさに検出した状態量データを付加して画像処理された画像データと合成した信号として伝送する。
【００１８】
受信側の画像処理装置２０は、画面部の画像の明るさを基準にして、伝送されて来た合成された信号から状態量データを分離し、監視モニタ５の該当の画面部に画像処理データについて画像処理された画像と共に表示することを行う。
【００１９】
次にフィールドでの処理手順について、図２のフローチャートに従って説明する。
【００２０】
処理が開始されると、監視カメラ１の映像を映像入力部１１を介して画像メモリ１２に取込む（ステップＳ１１）。また、センサ２により検出された状態量をデータ入力部を介してＣＰＵ１５に取込む、すなわち状態量データの取り込みを行う（ステップＳ１２）。ＣＰＵ１５は、取込んだセンサのデータを設定した画面部の画像の明るさに対応するデータに変換する（ステップＳ１３）。この変換されたデータを、画像演算部１４で画像メモリ１２の所定の位置に書込む（ステップＳ１４）。画像メモリ１２の内容は、映像出力部１３により、画像処理データと合成されて画像データ伝送路4に送られる（ステップＳ１５）。
【００２１】
次に中央側での処理手順について、図３のフローチャートに従って説明する。
【００２２】
処理が開始されると、映像伝送路４から送られる合成映像データを映像入力部２１を介して画像メモリ２２に取込む（ステップＳ２１）。ＣＰＵ２５は、画像メモリ２２のなかのあらかじめセンサデータの入力位置と定められた画面部の画像の明るさを画像演算部２４を介して読み込む（ステップＳ２２）。この明るさのデータをセンサデータに対応するようあらかじめ定められたきまりに従って変換し、センサ２のデータである状態量データを得る（ステップＳ２３）。
【００２３】
状態量データは所定の画面部に画像処理データと共に表示される（Ｓ２４）。
【００２４】
フィールドに監視カメラ１があり、中央で集中監視しているシステムの基本構成は、図１における監視カメラ1と、映像伝送路４と、監視モニタ５からなる。ここにフィールドの状態量を中央で取込む必要に対応するために、状態量を取込むためのセンサ２とデータ入力部３の他にフィールド側には画像処理装置１０を、中央側には画像処理装置２０を設ける。状態量データは上述のように既設の画像データ伝送路４により送られるため新たな伝送路の敷設は不要である。
【００２５】
以上のように、フィールドに監視カメラがあり、中央で集中監視しているシステムにおいて、フィールドの状態量を、フィールドから中央まで新たな配線敷設なしでデータ伝送できる。
【００２６】
これは、フィールドと中央の間の距離が離れている場合などにおいて、大きなコストメリットとなる。
【図面の簡単な説明】
【００２７】
【図１】図１は、本発明に係わるデータ伝送装置の構成を示すブロック図である。
【図２】図２は、フィールド側におかれる画像処理装置の処理手順の１例を示すフローチャートである。
【図３】図３は、中央側におかれる画像処理装置の処理手順の１例を示すフローチャートである。
【符号の説明】
【００２８】
１…監視カメラ、２…センサ、３…データ入力部、４…映像伝送路、５…監視モニタ、１０…画像処理装置、１１…映像入力部、１２…画像メモリ、１３…映像出力部、１４…画像演算部、１５…ＣＰＵ、２０…画像処理装置、２１…映像入力部、２２…画像メモリ２３…映像出力部、２４…画像演算部、２５…ＣＰＵ。
【図１】
2006165719.tif 000003
【図２】
2006165719.tif 000004
【図３】
2006165719.tif 000005